(57)【要約】      （修正有）【課題】ファンとスター間直接的なメッセージ伝達が可能な運営システム及び方法を提供する。【解決手段】第１端末装置１０及び第２端末装置２００が接続されたネットワークで移動通信社４０の通信社システムと連携してファンレター加工データ及び返事データを中継して相互に伝送するように結合されたダイレクトファンレター運営システムにおいて、第１端末装置が接続したウェブサイトを介して受けたファンレターデータをＤＢサーバー１５０に記録保存するウェブ運営部１２０、ＤＢサーバーに記録保存されたファンレターデータにタグ値を併合させ、ファンレターデータを翻訳し、ファンレターデータ内容を浄化してファンレター加工データを生成するようにＤＢサーバーに結合されたデータ加工部１３０及び第２端末装置の種類を選別し、ファンレター加工データを第２端末装置に伝送及び表示するように、データ加工部に結合された入出力管理部１４０を含む。【選択図】図３
2008217796.tif 000002
【特許請求の範囲】
【請求項１】
少なくとも一つの第１端末装置（１０）及び少なくとも一つの第２端末装置（２００）が接続されたネットワーク（２０）で移動通信社（４０）の通信社システムと連携してファンレター加工データ及び返事データを中継して相互に伝送するように結合されたダイレクトファンレター運営システムにおいて、
前記通信社システムと連動するように結合され、ファンレターデータの伝送に関与するＭＯ（Ｍｏｂｉｌｅ Ｏｒｉｇｉｎａｔｅｄ）運営部（１１０）；
前記ＭＯ運営部に伝送されたファンレターデータを含め、前記第１端末装置が接続したウェブサイトを介して受けたファンレターデータのそれぞれをＤＢサーバー（１５０）に記録保存するように、前記ＭＯ運営部に結合されたウェブ運営部（１２０）；
前記ＤＢサーバーに記録保存されたファンレターデータに該当データ種類の識別のためのタグ値を併合させ、ファンレターデータを翻訳し、ファンレターデータの内容を浄化してファンレター加工データを生成するように前記ＤＢサーバーに結合されたデータ加工部（１３０）；及び
前記第２端末装置の種類を選別し、前記ファンレター加工データを前記第２端末装置に伝送及び表示するように、前記データ加工部に結合された入出力管理部（１４０）；
を含むことを特徴とする、ダイレクトファンレター運営システム。
【請求項２】
前記データ加工部（１３０）は、
原本データ確認方式を利用して前記ファンレターデータの種類を識別し、その識別結果による結果コード名をタグ値として前記ファンレターデータに併合させてタグ併合ファンレターデータを生成して保存するように、前記ＤＢサーバーに結合されたタグサーバー；
前記タグ値の結果コード名をチェックし、前記ＤＢサーバーから読み取った前記タグ併合ファンレターデータの中で外国語情報のみを翻訳して出力するように、前記タグサーバーに結合された翻訳サーバー；及び
前記翻訳サーバーから出力された出力物を前もって決めたスパム処理用インデックスと比較チェックし、選別及び浄化されたファンレター加工データを出力するように、前記翻訳サーバーに結合されたフィルタリングサーバー；
を含み、前記ファンレター加工データをスター側の第２端末装置上に表示するようになったことを特徴とする、請求項１に記載のダイレクトファンレター運営システム。
【請求項３】
入出力管理部（１４０）は、
前記ＤＢサーバーで記録管理される装置識別子と、前記入出力管理部のデータ種類判断モジュールによって判断されたデータ種類を比較チェックし、前記ファンレター加工データがアクセス可能な前記第２端末装置を選択するように、入出力管理サーバーに設置された装置選択管理モジュール；及び
前記装置選択管理モジュールによって選択された第２端末装置にファンレター加工データを伝送するように、入出力管理サーバーに設置されたデータ伝送モジュールをさらに含むことを特徴とする、請求項１に記載のダイレクトファンレター運営システム。
【請求項４】
前記装置識別子は、前記第２端末装置をネットワーク上で区別するためのＩＰアドレス、モバイルＵＲＬアドレス、ＭＩＮ（Ｍｏｂｉｌｅ Ｉｄｅｎｔｉｆｉｃａｔｉｏｎ Ｎｕｍｂｅｒ）、ＣＴＮ（Ｃｅｌｌｕｌａｒ Ｔｅｌｅｐｈｏｎｅ Ｎｕｍｂｅｒ）、器機のＳ／Ｎ（Ｓｅｒｉａｌ Ｎｕｍｂｅｒ）、電話番号、及び電子メールアドレスの中で少なくとも一つを含んでなることを特徴とする、請求項３に記載のダイレクトファンレター運営システム。
【請求項５】
前記第２端末装置は、マイコン及びネットワーク通信モジュールを備えたネットワーク型ディスプレイ装置（２１０）、通信可能なＬＥＤコントローラーを備えたＬＥＤ電光板（２２０）、スターまたは所属社などが持っている個人用コンピュータ、ノートブック型コンピュータなどのコンピュータ装置（２３０）、及び有無線通信が可能なＰＤＡ（２４０）または移動通信端末機（２５０）の中で少なくとも一つを含んでなることを特徴とする、請求項３に記載のダイレクトファンレター運営システム。
【請求項６】
少なくとも一つの第１端末装置及び少なくとも一つの第２端末装置が接続されたネットワークで移動通信社の通信社システムと連携し、ファンレター加工データと返事データを中継して相互に伝送する運営システムによるダイレクトファンレター運営方法において、
前記第１端末装置を介してファンレターデータをウェブサービスとＭＯサービス統合環境で作成する作成段階；
前記第１端末装置からファンレターデータを受信してＤＢサーバーに伝達し、ファンレターデータがＤＢサーバーに記録保存されたという意味のイベント信号を前記運営システムのデータ加工部に伝達するファンレターデータ受信段階；
前記データ加工部のタグサーバーによって原本データを確認する方式を利用してファンレターデータ種類を識別し、識別結果による結果コード名を生成した後、タグ値の形式でファンレターデータに併合してタグ併合ファンレターデータを生成するファンレターデータ種類判断段階；
前記タグ併合ファンレターデータ上に外国語情報が含まれたことが確認された場合、翻訳を行う翻訳段階；
前記翻訳段階の後に出力された出力物を前もって決めたスパム処理用インデックスと比較チェックし、選別及び浄化されたファンレター加工データを前記運営システムの入出力管理部に出力するフィルタリング段階；及び
前記フィルタリング段階によって生成されたファンレター加工データを入出力管理部によって装置識別子とデータ種類を比較チェックした後、該当第２端末装置に応じて選別して伝送する伝送段階；
を実行し、
前記第２端末装置でファンレター加工データを表示することを特徴とする、ダイレクトファンレター運営方法。
【請求項７】
前記入出力管理部に設置された返事管理モジュールは、前記第２端末装置の返事操作に応じてスター側で準備した返事データまたは前記返事データに対応する翻訳データを電子メール、メッセンジャー、個別電話番号を利用したＳＭＳ、Ｃａｌｌｂａｃｋ ＵＲＬを利用したＳＭＳ、及びホームページ登載の中で少なくとも一つの伝送方式を利用して第１端末装置に返事する段階をさらに含むことを特徴とする、請求項６に記載のダイレクトファンレター運営方法。
【発明の詳細な説明】
【技術分野】
【０００１】
本発明はダイレクトファンレター運営システム及び方法に関するものである。
【背景技術】
【０００２】
一般に、情報通信の領域は、単純有線電話中心の世界より、ＦＡＸ、ＰＣ通信、データ通信、衛星通信、移動体通信、インターネット、超高速コンピュータ通信、無線通信などの世界へその範囲が速く拡大している。
【０００３】
大容量マルチメディア通信は、時空間を超越して、いつでも、どこでも、どの状況でも通信可能な広帯域デジタル通信時代に進化し、デジタル通信網基盤上で映像メディアを軸とするマルチメディア情報通信が活発に利用されている実情である。
【０００４】
携帯電話端末機は、その移動通信の趨勢に従い、音声及びデータ通信を過ぎて映像通信、ひいては動画通信に進化している。
【０００５】
特に、データ通信は、インテリジェントネットワークをプラットホームとし、各種の付加サービスを提供している。ここで、インテリジェントネットワークとは、既存の通信ネットワークに、大型コンピュータである信号中継交換器、サービス制御点（ＳＣＰ）、使用者との整合機能担当部、ゲートウェイスイッチングセンター（ＧＳＣ）、サービス交換器（ＳＳＰ）、インテリジェントネットワークサービス開発環境提供部（ＳＣＥ）などを連結して多様な通信サービスを効率的に提供することができる一次元高い通信サービスである。
【０００６】
このようなインテリジェントネットワークによって提供可能な従来技術には、ＭＯ（Ｍｏｂｉｌｅ Ｏｒｉｇｉｎａｔｅｄ）サービスを活用して、命令語コードで入力された短文メッセージサービス提供システムがある。
【０００７】
すなわち、図１に示すような従来技術の短文メッセージサービス提供システムは、移動通信使用者が短文メッセージ送受信のために利用する移動通信端末機１、使用者が本発明による命令語コードを有線通信網５を介して登録させようとする場合に利用する有線端末機６、移動通信端末機または有線端末機を介して命令語コードを登録されて管理し、無線通信網２を介して移動通信端末機から命令語コードが短文メッセージに伝送された場合、前記命令語コードを認識して該当情報を移動通信端末機または有線端末機に伝送するための多数のＭＯサービス提供システム４、及び無線通信網２とＭＯサービス提供システム４との間で短文メッセージサービスを統制するためのＭＯサービス管理システム３を含んで構成されている。
【０００８】
このような従来技術の短文メッセージサービス提供システムは、単に複数の使用者であるメッセージ伝送モドの一種であるＭＯ（Ｍｏｂｉｌｅ Ｏｒｉｇｉｎａｔｅｄ）サービスを利用して特定業者に所望の情報を短文メッセージで問い合わせ、その問い合わせに応える返事データをさらに前記問い合わせた使用者の移動通信端末機１に提供するため、直接的なファンレターの伝送、管理、翻訳、課金、返事などを効果的に実行することができなく、ＭＯサービスとウェブサービスを統合して管理することができなく、多数が芸能人、スポーツ選手を含み、そのホーム、所属社、車両などに直接的で安全にメッセージを伝達することができない欠点がある。
【０００９】
一方、特許文献１に開示されたオンラインファンレターサービスシステムは、ファンと有名人との間でファンレターの単純仲介や管理を行い、有名人にファンレターを直接伝送するに先立ち、ファンレターが伝送されたという受信事実のみを有名人に通知し、ファンレターをＣＤに記録し、オフラインで現物で配送することを特徴としている。
【００１０】
しかし、前記特許文献１は、有名人の立場で移動通信端末機または個人用コンピュータのみを使用して実際メッセージ内容を確認しなければならないため、使用が非常に不便で、特にメッセージ内容中に悪口など悪意的内容や脅迫などが濾過されずに伝達できるので、ファンと有名人との間で健全で安全なコミュニケーションチャンネルが形成しにくい欠点がある。
【００１１】
また、前記特許文献１を含む大部分のＭＯサービスは、多数の使用者が特定人に単にメッセージを伝達しているので、その伝達した複数のメッセージが外国人によってそれぞれ異なる外国語で作成された内容の場合、そのメッセージを受信した有名人がその内容をすべて直接翻訳しなければならないため、外国ファンのためのファンレターの運営に大きな難しさが存在している。
【００１２】
また、多数のファンと一人の有名人との間には、殺到するファンレターの内容を既存の方式のように短文メッセージリストとして管理する場合、そのメッセージリスト上で一つ一つ該当短文メッセージを確認しなければならないため、忙しいスケジュールに追い回される有名人や所属社またはマネージャーの立場で、単純なファンレター送受信のために移動通信基盤のＭＯサービスまたはインターネット基盤のウェブサービス利用自体が負担として作用するため、実質的なファンレターの運営及び管理が難しく、同時に有名人が該当端末装置をアクセスすることでメッセージリスト及び個別内容を確認することができるので、有名人自分が忙しいスケジュールを消化する途中に、それと並行してメッセージを容易に確認することが難しい状況である。
【特許文献１】大韓民国特許公開第２００３−３０８０９号明細書
【発明の開示】
【発明が解決しようとする課題】
【００１３】
したがって、本発明はこのような問題点を解決するためになされたもので、その目的はスターが第２端末装置を介してファンレターを容易に確認及び返事することができ、全世界的に分布したファンとスター間の直接的なメッセージ伝達ができて、アクティブで直接的なファン管理が可能なダイレクトファンレター運営システムを提供することにある。
【００１４】
本発明の他の目的は、ＭＯ（Ｍｏｂｉｌｅ Ｏｒｉｇｉｎａｔｅｄ）サービス、ウェブサービス、翻訳サービス、フィルタリングサービス、端末装置選別表示サービスの統合環境を提供することにより、スターのホーム、所属社、車両などに設置された端末装置に直接的にメッセージが実時間で表示され、これに対して応答または答信して、アクティブで直接的なファン管理が可能なダイレクトファンレター運営方法を提供することにある。
【００１５】
また、本発明のさらに他の目的は、海外のファンであっても、国内の芸能人、スポーツ選手、特定有名人にあたるスターに直接的で安全なメッセージのみを選別して伝送し、これに対応して答信することができるダイレクトファンレター運営システム及び方法を提供することにある。
【課題を解決するための手段】
【００１６】
前述したような本発明の目的は、少なくとも一つの第１端末装置及び少なくとも一つの第２端末装置が接続されたネットワークで移動通信社の通信社システムと連携してファンレター加工データ及び返事データを中継して相互に伝送するように結合されたダイレクトファンレター運営システムにおいて、前記通信社システムと連動するように結合され、ファンレターデータの伝送に関与するＭＯ（Ｍｏｂｉｌｅ Ｏｒｉｇｉｎａｔｅｄ）運営部；前記ＭＯ運営部に伝送されたファンレターデータを含め、前記第１端末装置が接続したウェブサイトを介して受けたファンレターデータのそれぞれをＤＢサーバーに記録保存するように、前記ＭＯ運営部に結合されたウェブ運営部；前記ＤＢサーバーに記録保存されたファンレターデータに該当データ種類の識別のためのタグ値を併合させ、ファンレターデータを翻訳し、ファンレターデータの内容を浄化してファンレター加工データを生成するように前記ＤＢサーバーに結合されたデータ加工部；及び前記第２端末装置の種類を選別し、前記ファンレター加工データを前記第２端末装置に伝送及び表示するように、前記データ加工部に結合された入出力管理部；を含むことを特徴とする、ダイレクトファンレター運営システム及びその方法によって達成される。
【発明の効果】
【００１７】
以上説明したように、本発明のダイレクトファンレター運営システム及び方法は、スターのホーム、所属社、車両などに設置された第２端末装置を介して直接的にファンレターが表示されて、ファンレターを容易に確認することができるので、スターが忙しいスケジュールを消化しながらも多量のファンレター管理を手軽く行える利点がある。
【００１８】
また、本発明のダイレクトファンレター運営システム及び方法は、ファンレターの内容中に悪口などの悪意的内容や脅迫などをフィルタリングしてスターに伝達するので、ファンとスターまたは有名人との間で健全で安全なコミュニケーションチャンネルを形成することができる利点がある。
【００１９】
また、本発明のダイレクトファンレター運営システム及び方法は、ファンレターに外国語情報が含まれた場合、これを翻訳してスターに伝達するか、スターが作成した返事データが該当国の言語に翻訳されて返事されることにより、スターが多数の外国ファンに積極的に対応することができる利点がある。
【００２０】
また、本発明のダイレクトファンレター運営システム及び方法は、スターがファンレターを確認することができる多様な方式の第２端末装置を提供することにより、いつでも、どこでも自由にファンとの交感を維持することができる利点がある。
【発明を実施するための最良の形態】
【００２１】
以下、添付図面の図２〜図５を参照して、本発明の好適な実施例によるダイレクトファンレター運営システム及び方法について詳細に説明する。
【００２２】
図面において、図２は本発明の一実施例によるダイレクトファンレター運営システムのネットワーク構成図、図３は図２に示すダイレクトファンレター運営システムの構成を説明するためのブロック図である。また、図４は図２に示す運営システムによる本発明のダイレクトファンレター運営方法を説明するための流れ図、図５はファンレター加工データが表示されたスターのホームページを説明するための図である。
【００２３】
まず、図２に示すように、本発明の実施例においては、ダイレクトファンレター運営システム１００（以下、運営システム１００という）がファンレターデータまたは返事データの中継者として、ファンレターデータまたは返事データを伝送及びアクセス可能にネットワーク２０に接続されている。
【００２４】
ネットワーク２０は、無線通信網、移動通信網、無線呼出網、有無線インターネット網、インテリジェントネットワークなどのように、通常的または汎用的な諸般通信網を意味し、運営システム１００を含んで、ファン側の第１端末装置１０とスターまたは有名人側の第２端末装置２００の接続のための該当通信規格のインターフェースを満たすように構成される。
【００２５】
ファン側の第１端末装置１０はネットワーク２０の一側に接続される。このような第１端末装置１０は、ウェブサービスルのためにファンが持っている個人用コンピュータ１１、またはＭＯサービスのためにやはりファンが持っている移動通信端末機１２、あるいはその他の本発明の運営システム１００に対応して使用者として接続及びアクセス可能な汎用データ通信装置などであることができる。
【００２６】
スター側の第２端末装置２００はネットワーク２０の他側に接続される。第２端末装置２００は、自分をネットワーク２０上で区別するためのＩＰアドレス、モバイルＵＲＬアドレス、ＭＩＮ（Ｍｏｂｉｌｅ Ｉｄｅｎｔｉｆｉｃａｔｉｏｎ Ｎｕｍｂｅｒ）、ＣＴＮ（Ｃｅｌｌｕｌａｒ Ｔｅｌｅｐｈｏｎｅ Ｎｕｍｂｅｒ）、器機のＳ／Ｎ（Ｓｅｒｉａｌ Ｎｕｍｂｅｒ）、電話番号、電子メールアドレス、または運営システム１００が該当第２端末装置２００を識別することができる特定のコード値の中でいずれか一つのような装置識別子を利用して識別できる。
【００２７】
ここで、スターが使用する第２端末装置２００に関連した装置識別子は、図３のデータベースサーバー１５０のデータベース（以下、ＤＢという）上に保存及び管理される。
【００２８】
たとえば、第２端末装置２００はそれぞれ装置識別子を有するもので、マイコンとネットワーク通信モジュールを備えたネットワーク型ディスプレイ装置２１０、通信可能なＬＥＤコントローラーを備えたＬＥＤ電光板２２０、スターまたは所属社などが持っている個人用コンピュータ、ノートブック型コンピュータなどのコンピュータ装置２３０、有無線通信可能なＰＤＡ２４０または移動通信端末機２５０、個人用装置（ｄｅｖｉｃｅ）などである。
【００２９】
運営システム１００は、費用算出を系統的にシステム化した周知の電子支払社３０及び移動通信社４０と連携して通常の方法で顧客課金を処理することになる。
【００３０】
電子支払社３０は、携帯電話決済のような無線課金、口座振込み、カード決済、ポイントなどを利用した少額決済などの周知共用のソリューションを本発明に提供する。特に、海外のファンにも、該当国家に電子少額決済システムを導入して互換可能な状態で課金を行えるようにする。
【００３１】
運営システム１００は、顧客課金処理費用、該当システムまたは第２端末装置２００の製作及び普及、第２端末装置２００用インターフェース構築、システム維持補修費用、スターマーケティングなどによって利益創出を実現する。
【００３２】
運営システム１００は、ＭＯ（Ｍｏｂｉｌｅ Ｏｒｉｇｉｎａｔｅｄ）サービス、ウェブサービス、翻訳サービス、フィルタリングサービス、端末装置選別表示サービスを統合運用するようになっている。
【００３３】
図３に示すように、運営システム１００は、予め決めたサーバー運営体制を支援するプラットホーム内で相互有機的に連動するように、ＭＯ運営部１１０、ウェブ運営部１２０、データ加工部１３０、及び入出力管理部１４０を結合している。
【００３４】
ＭＯ運営部１１０はＭＯゲートウェイとＭＯ運営センターからなっており、これらを介して通常のＭＯサービスをファンとスターに提供する。ＭＯサービスは、多数の使用者であるファンからスターのような１主体に文字メッセージを伝送するサービスを意味する。
【００３５】
このようなＭＯサービスによれば、多数のファンは、自分の移動通信端末機１２を利用して、文字メッセージの内容を入力する。この際に、スターに伝達されるように前もって定義されて付与され、スターの私生活保障が可能なＭＯ番号（たとえば、＃３０００−１１１など）、仮想電話番号またはモバイルＵＲＬアドレスなどを利用して伝送する。
【００３６】
また、ＭＯサービスの処理のために、移動通信社には、通信システムの基地局、ＳＭＳＣ、ＭＭＳＣ、インテリジェントネットワークなどのような通信社システムが備えられており、このような通信社システムは、周知のＭＯサービス方式によってＭＯ運営部１１０と連動するように、ＭＯ運営部１１０のＭＯゲートウェイ及びＭＯ運営センター接続されている。
【００３７】
これにより、ＭＯ運営部１１０はファンレターデータを受信するか、スター側で前もって準備するか実時間で作成された返事データを返事することができるように構成される。
【００３８】
そして、ＭＯ運営部１１０は、伝達されたファンレターデータなどをＤＢサーバー１５０に記録、保存するようにＤＢサーバー１５０と結合されており、ファンレターデータなどがＤＢサーバー１５０に記録、保存されたという意味のイベント信号をデータ加工部１３０に伝達する役目を担当する。ここで、データ加工部１３０は、前記ＤＢサーバー１５０に結合され、イベント信号の入力有無によってデータアクセスを実行するようになっていることが好ましい。
【００３９】
ウェブ運営部１２０は、ＤＢサーバー１５０のデータをアクセスするウェブサーバー、電子メールサーバー、メッセンジャーサーバーなどを備え、これらを介して、ファンレター伝送のためのウェブサービスをファンとスターに提供する。
【００４０】
ここで、ウェブサービスは、インターネットが可能なウェブサイト及びそのウェブサイトから提供されるウェブＳＭＳ（短文メッセージ）伝送を用いる多数のファンから一つの主体のようなスターにファンレターを伝送するサービスを意味する。
【００４１】
このようなウェブサービスによれば、多数のファンのそれぞれは自分の個人用コンピュータ１１を利用して、前記文字メッセージ内容に相応するファンレターを入力する。この際、スターに伝達されるように前もって定義されたスターの名前を利用して伝送する。
【００４２】
このようなウェブサービスの処理のために、ウェブ運営部１２０は、以下に説明する入出力管理部１４０の返事管理モジュールと連動するようになっている。
【００４３】
また、ウェブ運営部１２０は、実質的にウェブサーバーによって実現されるウェブエンジンまたはアクティブサーバーページ、ジャバアプレットページ、及び前記ウェブＳＭＳ伝送画面上のフォンメッセージ入力欄のような移動通信社連動型インターフェースを構築している。
【００４４】
また、ウェブ運営部１２０は、個人用コンピュータ１１からネットワークを介してファンレターデータを受信するか、スター側で前もって準備するかまたは実時間ないし状況別に製作した返事データを電子メール、メッセンジャー、個別電話番号を利用したＳＭＳ、Ｃａｌｌｂａｃｋ ＵＲＬを利用したＳＭＳ、ホームページ登載などのような伝送方式で第１端末装置１０に返事するように構成される。
【００４５】
このような方式で、ウェブ運営部１２０は、伝達されたファンレターデータなどをＤＢサーバー１５０に記録保存し、それに相応するイベント信号をデータ加工部１３０にやはり伝達する役目を担当する。
【００４６】
データ加工部１３０は、翻訳サービス及びフィルタリングサービスをファンとスターに提供するために、ＤＢサーバー１５０をアクセスするように、ＤＢサーバー１５０に結合されたタグサーバーを有する。
【００４７】
タグサーバーはタグ併合用ソフトウェアによって作動する。タグサーバーのタグ併合用ソフトウェアは、ＭＯ運営部１１０とウェブ運営部１２０からイベント信号を受信する都度、該当イベント信号に係るファンレターデータをＤＢサーバー１５０から持って来て、ついで、通常の原本データ確認方式を利用して、前記持って来たファンレターデータの種類（たとえば、テキスト、イメージ、動画またはこれらが併合したデータの中でいずれか一種）を識別し、その識別結果による結果コード名（結果コード名例示：テキスト、自国語、外国語、イメージ、動画など）を生成した後、結果コード名を該当ファンレターデータのタグ値として前記ファンレターデータに併合させることによりタグ併合ファンレターデータを生成し、これをＤＢサーバー１５０に更新及び保存するようにプログラミングされている。
【００４８】
また、データ加工部１３０は前記タグサーバーと連動し、前記タグサーバーによってタグ併合ファンレターデータの更新及び保存が行われる都度、ＤＢサーバー１５０でタグ併合ファンレターデータを読み取った後、タグ値の結果コード名をチェックして、外国語情報を含むと判断される場合、前記読み取ったデータ（たとえば、テキスト）を国文情報に翻訳して出力物として出力するが、一方、自国語情報のみを含むと判断される場合、翻訳なしに前記読み取ったデータを通過させて、やはり出力物として出力する翻訳サーバーを備える。
【００４９】
翻訳サーバーは実時間自動翻訳機を備え、これを用いて該当会員の会員情報の中で国家及び使用言語を把握した後、返事データを該当使用言語に翻訳し、その翻訳結果をやはり出力物として出力する役目を担当する。出力物はＤＢサーバー１５０に記録、保存されることはもちろんである。
【００５０】
また、データ加工部１３０は、前記翻訳サーバーから出力された出力物を前もって決めたスパム処理用インデックスと比較チェックし、選別及び浄化されたファンレター加工データを出力するように、前記翻訳サーバーに結合されたフィルタリングサーバーを含む。
【００５１】
入出力管理部１４０は、端末装置選別表示サービスをファンとスターに提供する。
【００５２】
このために、基本的に入出力管理部１４０は、ファン側会員とスター側会員のそれぞれに対するサービス加入の際に入力した会員情報（ここで、会員情報は、サービス提供用会員ＩＤ、パスワード、国家、使用言語、連絡先住所、電子メール、メッセンジャーＩＤ、移動通信端末機電話番号、有線電話番号、返事を受けようとする第１端末装置に係る情報、第２端末装置の種類を識別するための情報などを含む）をＤＢとして保存管理するように、前記データ加工部１３０に接続された入出力管理サーバーでソフトウェア的に作動可能に設置された会員管理モジュールを含む。
【００５３】
入出力管理部１４０は、前記会員管理モジュールによって会員であることが確認された場合、前記会員に関連して前記データ加工部１３０のフィルタリングサーバーから出力されたファンレター加工データ上に残っている前記タグ値をチェックしてデータ種類を判断するように、前記入出力管理サーバーに設置されたデータ種類判断モジュールを含む。
【００５４】
入出力管理部１４０は、ＤＢサーバー１５０の装置識別子と、前記データ種類判断モジュールによって判断されたデータ種類を比較チェックし、前記ファンレター加工データがアクセス可能な第２端末装置２００、すなわちネットワーク型ディスプレイ装置、ＬＥＤ電光板２２０、コンピュータ装置、ＰＤＡ、及び移動通信端末機の中でいずれか１種を選択するように、前記入出力管理サーバーに設置された装置選択管理モジュールを含む。
【００５５】
入出力管理部１４０は、前記ファンレター加工データを前記装置選択管理モジュールによって選択された第２端末装置２００に伝送するように、前記入出力管理サーバーに設置されたデータ伝送モジュールを含む。データ伝送モジュールは、前記装置識別子を利用して、前記装置選択管理モジュールが選択した第２端末装置２００に前記ファンレター加工データを伝送する役目をする。ファンレター加工データを受けた第２端末装置２００はこれを画面上に表示する。
【００５６】
入出力管理部１４０は、第２端末装置２００を利用して作成された返事データを第１端末装置１０に伝送するように、前記入出力管理サーバーに設置された返事管理モジュールを含む。
【００５７】
ここで、返事データは、第２端末装置２００に基づいて作成された状況別返事内容、あるいはスターが自動または手動、あるいは直接または間接返事のために、入出力管理部の返事管理モジュールを利用して予め設定するか作成しておいた、予め保存された返事内容であることができる。
【００５８】
返事に関するシナリオは多様に設定でき、これと関連した例示的な三つのシナリオを説明すれば次のようである。
【００５９】
一番目、スターが自動（間接）返事を設定したとき、自動返事がなされる。このために、返事管理モジュールは、第２端末装置２００側にファンレター加工データを伝送した時点を基準とし、下記の手動（直接）返事がない場合、スターが予め保存しておいた返事内容を自動に返事するか、あるいは下記に説明する返事管理モジュールの説明内容を実行するようにプログラミングされており、この際の設定値は自動返事をデフォルト（ｄｅｆａｕｌｔ）値にすることができる。
【００６０】
二番目、スターが返事ボタン２１１、２２１を操作するとき、手動返事がなされる。このために、返事管理モジュールは、第２端末装置２００の返事ボタン２１１、２２１のクリック信号を確認する場合、デフォルト値に対応する自動返事を解除する。その後、返事管理モジュールは、前記自動返事で使用した内容と違う特別な内容の返事データ、たとえば、スターが予め作成しておいた親筆サインイメージ、ブロマイドなどに使用された親密な写真ファイル、新しい内容のテキスト情報などのような特別な返事データと、会員情報の中でファン連絡先情報をＤＢサーバー１５０から読み取ってデータ伝送モジュールにパーシングし、データ伝送モジュールがウェブサーバー、電子メールサーバー、メッセンジャーサーバー、またはＭＯ運営部１１０の運営センターなどと連動し、ファンレターを伝送したファンの第１端末装置１０側に単純手動返事がなされるようにする。
【００６１】
三番目、スターが返事データを直接作成するとき、やはり手動返事がなされる。このために、返事管理モジュールは、第２端末装置２００のコンピュータ装置２３０、ＰＤＡ２４０、移動通信端末機２５０上のキーボード、タッチスクリーン、キーパッドなどの操作による手動返事命令を確認し、手動返事があることを確認する。
【００６２】
その後、返事管理モジュールは、デフォルト値である自動返事を解除する代わり、第２端末装置２００から直接作成した返事データ（ここで、返事データは、スターが作成した親筆サインイメージ、カメラフォンで直接撮った写真ファイル、テキスト、多様な画像情報などを含む）を受ける。
【００６３】
その後、返事管理モジュールは、ファン連絡先情報をＤＢサーバー１５０で読み取った後、これを前記直接作成した返事データとともにデータ伝送モジュール側に伝達し、データ伝送モジュールがウェブサーバー、電子メールサーバー、メッセンジャーサーバーまたはＭＯ運営部１１０の運営センターなどと連動して、ファンレターを伝送したファンの第１端末装置１０側に手動返事がなされるようにする。
【００６４】
このようなシナリオ以外の可能なすべての場合の返事は、ウェブ運営部１２０のウェブサーバー、電子メールサーバー、メッセンジャーサーバーまたはＭＯ運営部１１０の運営センターなどと連動して、予め決まった返事アルゴリズムによって行われ、その他のデータの読み取り、主体の識別などは通常のデータ処理方法（たとえば、フラグ値、識別ＩＤなど）によって実行可能であることはもちろんである。
【００６５】
また、返事管理モジュールは、スターが前記自動返事内容を作成することができる一般的な作成ツールを第２端末装置２００に提供するようにプログラミングされている。
【００６６】
また、返事管理モジュールは、第２端末装置２００で作成された親筆サインイメージ、テキスト、撮像イメージまたは動画などをＤＢサーバー１５０に保存することができるインターフェースを第２端末装置２００に提供する役目を担当する。
【００６７】
入出力管理部１４０は、ファンレターの伝送または返事の際に発生した移動通信社または電子支払社３０との費用、支払、課金などの精算を通常的でかつ体系的に管理するように、前記入出力管理サーバーに設置された費用精算管理モジュールを含む。
【００６８】
以下、本発明によるダイレクトファンレター運営システムの運営方法について説明する。
【００６９】
ダイレクトファンレター運営方法は、運営システムに接続された第１端末装置を介して、ファンレターデータをウェブサービスとＭＯサービス統合環境で作成する作成段階（Ｓ１０）を含む。
【００７０】
運営システムのＭＯ運営部またはウェブ運営部は、前記ファンレターデータを第１端末装置から受信してＤＢサーバーに伝達し、ファンレターデータがＤＢサーバーに記録保存されたという意味のイベント信号を運営システムのデータ加工部に伝達するファンレターデータ受信段階（Ｓ２０）を実行する。
【００７１】
その後、運営システムは、データ加工部のタグサーバーによって、原本データ確認方式を利用してファンレターデータ種類を識別し、識別結果による結果コード名を生成した後、タグ値の形式でファンレターデータに併合してタグ併合ファンレターデータを生成するファンレターデータ種類判断段階（Ｓ３０）を実行する。
【００７２】
その後、運営システムは、データ加工部のフィルタリングサーバー及び翻訳サーバーとタグ値を利用して、タグ併合ファンレターデータ上に外国語情報を含むことを確認するチェック段階（Ｓ４０）を実行した後、外国語情報が含まれている場合、前記タグ併合ファンレターデータを翻訳する翻訳段階（Ｓ５０）を実行し、前記翻訳段階（Ｓ５０）の後に出力された出力物を前もって決めたスパム処理用インデックスと比較チェックして、選別浄化されたファンレター加工データを入出力管理部側に出力するフィルタリング段階（Ｓ６０）を実行する。
【００７３】
前記フィルタリング段階（Ｓ６０）で生成されたファンレター加工データは、入出力管理部によって装置識別子とデータ種類を比較チェックした後、該当第２端末装置に応じて選別して伝送する伝送段階（Ｓ７０）を実行する。
【００７４】
図５に示すように、ファンレター加工データを受信した第２端末装置は、これを画面上に表示する。
【００７５】
図５のように、第２端末装置がコンピュータ装置２３０の場合、運営システムのウェブサイトを介してスターのホームページ画面の上端で流れる文レイヤー２３１のように、ファンレター加工データが表示される。
【００７６】
コンピュータ装置２３０の外にも、第２端末装置がネットワーク型ディスプレイ装置であるか、あるいは通信可能なＬＥＤコントローラーを備えたＬＥＤ電光板である場合、コンピュータ本体がなくも、ファンレター加工データが直接実時間で表示できる。
【００７７】
ネットワーク型ディスプレイ装置は、一種のデジタル額縁用マイコンのように、インテルストロングアーム１１１０のような中央処理装置（ＣＰＵ）と、イーサネットポートを備えたネットワークモジュール（カード）と、メモリ装置と、ＳＥＤ１３５０４などのようにスケーラーを内蔵したグラフィックチップセット電源装置と、ＴＦＴ−ＬＣＤ液晶と、少なくとも一つの返事ボタンを含む複数の操作ボタンとから構成できる。
【００７８】
メモリ装置には、操作ボタンに応じて画面設定値（たとえば、液晶の明るさ、コントラスト、解像度、カラーポジションなど）を調整しながらも、返事ボタンのクリック信号に相応する手動返事命令を本発明の運営システムの入出力管理部の返事管理モジュールに伝送する返事アルゴリズムが記録保存されている。
【００７９】
したがって、スターは、ネットワーク型ディスプレイ装置に現されるファンレター加工データを確認しているうちに返事が必要な場合、手動返事ボタンを押すことで、ファンレターを送ったファンに、スターが前もって準備した別途の返事データがファンの第１端末装置に伝送（返事）されるようにすることができる。
【００８０】
このような方式でＬＥＤコントローラーを備えたＬＥＤ電光板も、返事をファンに伝送することができる前記のようなアルゴリズムをＬＥＤコントローラーのメモリ装置に記録保存し、電光板ケーシングの外部に備えられた手動返事ボタンを操作することにより、別途のコンピュータがなくても最小の基本的な返事作業が可能であることはもちろんである。
【００８１】
その他の第２端末装置は、キーボード、マウス、タッチスクリーン、キーパッドなどを備えているので、ファンレター加工データを確認する時点で返事データの伝送が可能である。
【００８２】
さらに、図４に示すように、前記入出力管理部の返事管理モジュールが第２端末装置の操作または命令信号に応じて返事データを前記第１端末装置に伝送するために準備する諸般の返事管理段階（Ｓ８０）が実行される。
【００８３】
スターは、ＰＤＡ、移動通信端末機、コンピュータ装置などのように、返事データの作成及び伝送または命令入力が可能な第２端末装置を操作してファンに返事を実行する。
【００８４】
また、前記返事管理段階（Ｓ８０）では、ファンレターを送ったファンが外国人の場合、返事データを該当国言語に翻訳する翻訳データ準備段階（Ｓ８１）をさらに含むことが好ましい。
【００８５】
そして、返事管理段階（Ｓ８０）の後、運営システムは、返事管理段階（Ｓ８０）で準備した返事データ、または翻訳データ準備段階（Ｓ８１）で翻訳した翻訳データの中でいずれか一つを該当ファンの第１端末装置に返事する段階（Ｓ９０）に進む。
【産業上の利用可能性】
【００８６】
本発明は、スターが第２端末装置を介してファンレターを容易に確認及び返事することができ、全世界的に分布したファンとスター間の直接的なメッセージ伝達ができて、アクティブで直接的なファン管理が可能なダイレクトファンレター運営システムに適用可能である。
【図面の簡単な説明】
【００８７】
【図１】従来技術による短文メッセージサービス提供システムの構成図である。
【図２】本発明の一実施例によるダイレクトファンレター運営システムのネットワーク構成図である。
【図３】図２に示すダイレクトファンレター運営システムの構成を説明するためのブロック図である。
【図４】図２に示す運営システムによる本発明のダイレクトファンレター運営方法を説明するための流れ図である。
【図５】ファンレター加工データが表示されたスターのホームページを説明するための図である。
【符号の説明】
【００８８】
１０    第１端末装置
２０    ネットワーク
３０    電子支払社
４０    移動通信社
１００    運営システム
１１０    ＭＯ運営部
１２０    ウェブ運営部
１３０    データ加工部
１４０    入出力管理部
１５０    ＤＢサーバー
２００    第２端末装置
【図１】
2008217796.tif 000003
【図２】
2008217796.tif 000004
【図３】
2008217796.tif 000005
【図４】
2008217796.tif 000006
【図５】
2008217796.tif 000007